【手続補正書】
【提出日】平成24年9月24日(2012.9.24)
【手続補正１】
【補正対象書類名】特許請求の範囲
【補正対象項目名】全文
【補正方法】変更
【補正の内容】
【特許請求の範囲】
【請求項１】
中心経路と遠位端に開口部とを有するトロカールと、
前記中心経路に収容される大きさであり、前記遠位端の開口部に搬送される湾曲カニューレと、
湾曲カニューレの中央通路の内部に適合する大きさの外半径を有する湾曲探り針と、を含み、
湾曲カニューレは、あらかじめ形成された湾曲部を備えた湾曲可能な先端部を有することにより、トロカールを通って搬送される間は湾曲可能な先端部がまっすぐとなり、トロカールの遠位端の開口部を出て伸長した時にあらかじめ形成された湾曲部に戻ることにより、湾曲可能な先端部のあらかじめ形成された湾曲部に対応する湾曲経路を骨の内部に形成し、治療装置が中央通路を通って湾曲経路を越えた位置へと搬送されるように構成された直径を有する中央通路を含み、
湾曲探り針は、トロカールの遠位端の開口部を越えて湾曲カニューレが伸長する間、湾曲カニューレの内部に搭載されるよう構成され、骨の内部へと搬送される間、湾曲カニューレの遠位端の開口部を閉鎖するよう構成されていることを特徴とする骨の内部に経路を通すためのシステム。
【請求項２】
トロカールの内部に搭載できるよう構成された直線状探り針をさらに含み、
直線状探り針は、トロカールが骨の内部の治療位置にまで搬送される時に、トロカールの遠位端の開口部を越えて伸長することにより骨に穴をあけるよう構成された鋭利な遠位端を含むことを特徴とする請求項１に記載のシステム。
【請求項３】
湾曲カニューレの内部に搭載できるよう構成された矯正用探り針をさらに含み、
矯正用探り針は、トロカールの内部に配置された時に、湾曲カニューレの遠位端をまっすぐに矯正するよう構成された剛性構造を含むことを特徴とする請求項２に記載のシステム。
【請求項４】
矯正用探り針は、骨に穴を開けるための鋭利な遠位端をさらに含み、
矯正用探り針および湾曲カニューレは、トロカールが骨の内部へと搬送される時に、直線状探り針に代えてトロカールの内部に搭載されるよう構成されていることを特徴とする請求項３に記載のシステム。
【請求項５】
湾曲探り針は、湾曲カニューレの湾曲部に対応する湾曲した遠位端を有することを特徴とする請求項１に記載のシステム。
【請求項６】
湾曲探り針は、トロカールの遠位端の開口部を越えてカニューレが搬送される時に、湾曲カニューレを越えて伸長することにより、骨に穴を開けるよう構成された鋭利な遠位端を有することを特徴とする請求項１に記載のシステム。
【請求項７】
湾曲探り針および湾曲カニューレは、湾曲探り針の湾曲部と湾曲カニューレの湾曲部とを整列させるはめ合い式の近位端を有することを特徴とする請求項６に記載のシステム。
【請求項８】
湾曲探り針を取り除いた後にカニューレの内部に搭載されるよう構成された直線状の誘導用探り針をさらに含み、
直線状の誘導用探り針は、柔軟に変形可能であることにより、湾曲カニューレから外に出る時に直線形状を保持している湾曲カニューレを誘導し、湾曲カニューレよりも長さが長いことにより、完全に伸長した場合に湾曲カニューレの遠位端を越えて直線状経路を形成することを特徴とする請求項１に記載のシステム。
【請求項９】
中心経路と遠位端に開口部とを有するトロカールと、
前記中心経路に収容される大きさであり、前記遠位端の開口部に搬送される湾曲カニューレと、を含み、
湾曲カニューレは、あらかじめ形成された湾曲部を備えた湾曲可能な先端部を有することにより、トロカールを通って搬送される間は湾曲可能な先端部がまっすぐとなり、トロカールの遠位端の開口部を出て伸長した時にあらかじめ形成された湾曲部に戻ることにより、湾曲可能な先端部のあらかじめ形成された湾曲部に対応する湾曲経路を骨の内部に形成し、治療装置が中央通路を通って湾曲経路を越えた位置へと搬送されるように構成された直径を有する中央通路を含むことを特徴とする骨の内部に経路を通すためのシステム。
【請求項１０】
中心経路と遠位端に開口部とを有するトロカールと、
前記中心経路に収容される大きさを有し、前記遠位端の開口部に搬送される一組のカニューレから選択されるカニューレと、
湾曲カニューレの中央通路の内部に適合する大きさの外半径を有する一組の湾曲探り針と、を含み、
カニューレは、あらかじめ形成された湾曲部を備えた湾曲可能な遠位端を有することにより、トロカールを通って搬送される間は湾曲可能な先端部がまっすぐとなり、トロカールの遠位端の開口部を出て伸長した時にあらかじめ形成された湾曲部に戻ることにより、湾曲可能な先端部のあらかじめ形成された湾曲部に対応する湾曲経路を骨の内部に形成し、治療装置が中央通路を通って湾曲経路を越えた位置まで搬送できるように構成された直径を有する中央通路を含み、
一組のカニューレは、遠位端において種々のあらかじめ形成された湾曲部を有する１つ以上のカニューレを含み、
湾曲探り針は、骨の内部へと搬送される間は湾曲カニューレの遠位端の開口部を閉鎖するよう構成され、
各湾曲探り針は、湾曲カニューレがトロカールの遠位端の開口部を越えて伸張する間は湾曲カニューレの内部に搭載されるよう構成され、一組の湾曲カニューレ中に、適合する湾曲カニューレの湾曲部に対応する種々の湾曲した遠位端を有することを特徴とする骨の内部に経路を通すためのキット。
【請求項１１】
１つ以上のカニューレは、遠位端において種々のあらかじめ形成された半径を有することを特徴とする請求項１０に記載のキット。
【請求項１２】
１つ以上のカニューレは、トロカールの中心経路に対して、種々の角度の遠位端をそれぞれ有することを特徴とする請求項１０に記載のキット。
【請求項１３】
トロカールの中心経路に対する遠位端の角度は、約４５°〜約１１０°の間で変化することを特徴とする請求項１２に記載のキット。
【請求項１４】
トロカールの内部に搭載されるよう構成された直線状探り針をさらに含み、
直線状探り針は、トロカールが骨の内部で治療位置にまで搬送される時に骨に穴をあけるために、トロカールの遠位端の開口部を越えて伸長するように構成された鋭利な遠位端を含むことを特徴とする請求項１０〜１３のいずれか１項に記載のキット。
【請求項１５】
湾曲探り針は、カニューレがトロカールの遠位端の開口部を越えて搬送される時に、骨に穴をあけるために湾曲カニューレを越えて伸長するよう構成された鋭利な遠位端を有することを特徴とする請求項１０に記載のキット。
【請求項１６】
湾曲探り針と湾曲カニューレとは、湾曲探り針の湾曲部と湾曲カニューレの湾曲部とを整列させるはめ合い式の近位端を有することを特徴とする請求項１０に記載のキット。
【請求項１７】
一組の直線状の誘導用探り針をさらに含み、
一組の直線状の探り針の１つは、湾曲探り針を取り除いた後にカニューレの内部に搭載されるよう構成され、
直線状の誘導用探り針は、柔軟に変形可能であることにより湾曲したカニューレから外に出る時にまだ直線形状を保持している湾曲カニューレを誘導し、
各直線状の誘導用探り針は、湾曲カニューレよりも長い種々の長さを有することにより、直線状の誘導用探り針が完全に伸長した時に、湾曲カニューレの遠位端を越えて所定長の直線状経路を形成することを特徴とする請求項１０に記載のキット。
【請求項１８】
中心経路と遠位端に開口部とを有するトロカールと、
前記中心経路に収容される大きさを有し、前記遠位端の開口部に搬送される一組のカニューレから選択されるカニューレと、を含み、
カニューレは、あらかじめ形成された湾曲部を備えた湾曲可能な遠位端を有することにより、トロカールを通って搬送される間は湾曲可能な先端部がまっすぐとなり、トロカールの遠位端の開口部を出て伸長した時にあらかじめ形成された湾曲部に戻ることにより、湾曲可能な先端部のあらかじめ形成された湾曲部に対応する湾曲経路を骨の内部に形成し、治療装置が中央通路を通って湾曲経路を越えた位置まで搬送できるように構成された直径を有する中央通路を含み、
一組のカニューレは、遠位端において種々のあらかじめ形成された湾曲部を有する１つ以上のカニューレを含むことを特徴とする骨の内部に経路を通すためのキット。